(57)【要約】【課題】極巻きと電池端子とは溶接作業を実施しなくても電気的に連接することができ、電池の内部のインピーダンスが大幅に低減になるリチウム二次電池の極巻き導電構造を提供する。【解決手段】電池缶内に中心棒が一つ設けてあり、中心棒の両端には二つのリードアウト端子がそれぞれ接続してあり、中心棒の周面には極巻きが巻付けてあり、極巻きの端部とリードアウト端子とは一つの括り部材で電気的に連接し、電池部材と電池缶は二つの組付ナットで固定されるリチウム二次電池の極巻き導電構造において、極巻きは、一つのプラス極層と、一つのマイナス極層と、少なくとも一つの隔離層とから構成され、リードアウト端子は、導電性を持つ構成であり、連結端である一端は中心棒の連接部と結合し、リードアウト端子の他端が出力端に成形され、括り部材は少なくとも一つのねじ軸と二つの押圧片とを有する。【選択図】図４
2008016411.tif 000002
【特許請求の範囲】
【請求項１】
電池缶内に中心棒が一つ設けてあり、前記中心棒の両端には二つのリードアウト端子がそれぞれ接続してあり、前記中心棒の周面には極巻きが巻付けてあり、前記極巻きの端部と前記リードアウト端子とは一つの括り部材で電気的に連接し、上記電池部材と前記電池缶は二つの組付ナットで固定されるリチウム二次電池の極巻き導電構造において、
前記極巻きは、一つのプラス極層と、一つのマイナス極層と、少なくとも一つの隔離層とから構成され、前記プラス極層と前記マイナス極層との表面にはプラス極材料とマイナス極材料とがそれぞれ塗布してあり、前記隔離層は前記プラス極層と前記マイナス極層との間に設置され、前記プラス極層の一端にはプラス極材料が塗布されないプラス極接続ゾーンが設けてあり、且つ前記マイナス極層の前記プラス極接続ゾーンの反対側にある他端にはマイナス極材料が塗布されないマイナス極接続ゾーンが設けてあり、プラス極層と隔離層とマイナス極層とを順序に重ねて巻かせ、前記プラス極接続ゾーンと前記マイナス極接続ゾーンとを二つの端部からそれぞれ突出するようにし、前記各層が前記中心棒を巻付けて極巻きを形成した後、前記極巻きの両端は前記プラス極接続ゾーンと前記マイナス極接続ゾーンとからそれぞれ突出し、
前記リードアウト端子は、導電性を持つ構成であり、連結端である一端は前記中心棒の連接部と結合し、前記リードアウト端子の他端が出力端に成形され、前記リードアウト端子は、前記連結端と前記出力端との間に位置し、一つの凸縁と、一つの集りゾーンとが成形してあり、前記集りゾーンは、前記極巻きのプラス極接続ゾーン、又はマイナス極接続ゾーンに対応する箇所に位置し、なお、前記凸縁が前記電池缶の端部蓋に当接し、
前記括り部材は、少なくとも一つのねじ軸と二つの押圧片とを有し、前記押圧片には貫通孔が一つ開設してあり、前記押圧片は、前記プラス極接続ゾーンとマイナス極接続ゾーンとの外部の対応箇所にそれぞれ位置し、前記ねじ軸は、一つの押圧片の貫通孔と、集りゾーンの貫通孔と、他の押圧片の貫通孔とを順序に挿通して、前記プラス極接続ゾーンと前記マイナス極接続ゾーンと前記集りゾーンとを緊密に電気的に接続するために、その両端がナットで締付けられることを特徴とする、リチウム二次電池の極巻き導電構造。
【請求項２】
前記括り部材の押圧片の一端面は円柱形状の集りゾーンに合う円弧凹面に成形され、且つ前記端面は前記集りゾーンと緊密に接触することを特徴とする、請求項１に記載のリチウム二次電池の極巻き導電構造。
【請求項３】
前記括り部材の押圧片の一端面には、ハイ部位とロー部位とを有する段階構造が形成され、前記ロー部位が多数層のプラス極接続ゾーン、又はマイナス極接続ゾーンに圧合されたことを特徴とする、請求項１に記載のリチウム二次電池の極巻き導電構造。
【請求項４】
電池缶内に中心棒が一つ設けてあり、前記中心棒の両端には二つのリードアウト端子がそれぞれ接続してあり、前記中心棒の周面には極巻きが巻付けてあり、前記極巻きの端部と前記リードアウト端子とは一つの括り部材で電気的に連接し、上記電池部材と前記電池缶は二つの組付ナットで固定されるリチウム二次電池の極巻き導電構造において、
前記極巻きは、一つのプラス極層と、一つのマイナス極層と、少なくとも一つの隔離層とから構成され、前記プラス極層と前記マイナス極層との表面にはプラス極材料とマイナス極材料とがそれぞれ塗布してあり、前記隔離層は前記プラス極層と前記マイナス極層との間に設置され、前記プラス極層の一端にはプラス極材料が塗布されないプラス極接続ゾーンが設けてあり、且つ前記マイナス極層の前記プラス極接続ゾーンの反対側にある他端にはマイナス極材料が塗布されないマイナス極接続ゾーンが設けてあり、プラス極層と隔離層とマイナス極層とを順序に重ねて巻かせ、前記プラス極接続ゾーンと前記マイナス極接続ゾーンとを二つの端部からそれぞれ突出するようにし、前記各層が前記中心棒を巻付けて極巻きを形成した後、前記極巻きの両端は前記プラス極接続ゾーンと前記マイナス極接続ゾーンとからそれぞれ突出し、
前記リードアウト端子は、導電性を持つ構成であり、連結端である一端は前記中心棒の連接部と結合し、前記リードアウト端子の他端が出力端に成形され、前記リードアウト端子は、前記連結端と前記出力端との間に位置し、一つの凸縁と、一つの集りゾーンとが成形してあり、前記集りゾーンは、前記極巻きのプラス極接続ゾーン、又はマイナス極接続ゾーンに対応する箇所に位置し、なお、前記凸縁が前記電池缶の端部蓋に当接し、
前記括り部材は、一つのねじ軸と一つの押圧片とを有し、前記押圧片には貫通孔が一つ開設してあり、前記押圧片は、前記プラス極接続ゾーン、又はマイナス極接続ゾーンの外部の一側に位置し、前記ねじ軸は、押圧片の貫通孔を挿通して集りゾーンのねじ穴にねじ込むと、前記押圧片は前記プラス極接続ゾーン、又は前記マイナス極接続ゾーンの一側に緊密に圧合し、これにより、前記プラス極接続ゾーンと前記マイナス極接続ゾーンと前記集りゾーンとは緊密に電気的に接続するようになることを特徴とする、リチウム二次電池の極巻き導電構造。
【発明の詳細な説明】
【技術分野】
【０００１】
本発明は、リチウム二次電池の極巻き導電構造に係り、特に、内部に極巻きの電的エネルギーを集まってリードアウトするリチウム二次電池の極巻き導電構造に関するものである。
【背景技術】
【０００２】
従来のリチウム二次電池の極巻きの構成は、米国特許第5849431号が提案された構成があり、図１と図２に示すように、その極巻き１０は、一つのプラス極層１１と、一つの隔離層１２と、一つのマイナス極層１３との順序で、中心棒１４を多数巻きに巻き重ねて構成されるものであり、且つプラス極層１１とマイナス極層１２との一端には複数の導電柄１１１，１３１が鋸状にカットされ、これにより、前記各導電柄１１１，１３１はディスク形状の導電連接具１５の外端縁と溶接で接合することができ、極巻き１０の電的エネルギーをリードアウトすることが可能になる。
【０００３】
特に、巻き重ねて構成された極巻きは同心円の構成であり、各導電柄と溶接点とする導電連接具の外端縁と間の距離は一定でなく、各導電柄と導電連接具とを溶接する前には、各導電柄を整理し集中することが必要である。
【０００４】
しかしながら、このような電池構成は次のような欠点があった。
（イ）極巻きの製造過程中に、カット作業を出来る限りに簡単化にすることは極めて重要であり、その原因は、カット作業中に、細かい屑が発生し、前記屑がプラス極層、又はマイナス極層の表面に付着すると、極巻きが回復不能な導電故障を発生する可能性が高く、なお、従来の構成において、極巻きの端部が鋸状にカットされるので、製造プロセスが困難になると共に、良品率が低下になり、且つカット作業不良によって原料が浪費される可能性は高い。
【０００５】
（ロ）極巻きの各層の導電柄が同心円に排列され、導電柄の長さは導電連接具の外端縁と溶接可能な長さを基準値とすることが必要であるので、各導電柄と導電連接具とを溶接する前には、各導電柄を整理し集中することが必要であるが、上記整理作業をすると、製造プロセスが複雑であり、且つ導電柄が湾折されて破断になる可能性がある。
【０００６】
（ハ）ディスク形状の導電連接具の導電柄と溶接する外端縁の面積は極めて狭いので、導電柄の数量が多いほど、電池の製造プロセスは複雑で困難になる。
【０００７】
図３に示すのは米国特許第6447946号の提案であり、これはもう一つのリチウム二次電池の構成であり、その極巻き１０ａの端部には導電柄１１１ａ，１３１ａが多数に溶接してあり、前記各導電柄１１１ａ，１３１ａが電池端子１６の一側に延設されたサイド枠１６１と溶接された。
【０００８】
これらの従来のリチウム二次電池の構成において、極巻きは、カット作業、又は溶接作業によって導電柄を形成して、前記導電柄を電池端子、又は導電連接具に溶接し、これにより、極巻きの電的エネルギーをリードアウトする。特に、高容量電池の設計では、その導電柄の数量が一般容量電池よりも多く、そうしないと、大電流で充放電するときに、内部のインピーダンスが向上になり、充放電の効率は大幅に低下になり、更に故障になる可能性があり、しかし、従来の構成において、導電柄の数量は、溶接技術またはカット技術に制限され、増加することは困難である。
【０００９】
上記の説明から明らかなように、導電柄の数量が多いほど、内部のインピーダンスが低減になり、且つ高容量電池の充放電効率が高くなり、しかし、導電柄の数量が多くなると、溶接作業には工数が多くなると共に、製造プロセスも複雑になる。
【特許文献１】米国特許第5849431号
【特許文献２】米国特許第6447946号
【発明の開示】
【発明が解決しようとする課題】
【００１０】
本発明の主な目的は、極巻きと電池端子とは、溶接作業を実施しなくても電気的に連接することができ、その通電断面積が大きくなるので、電池の内部のインピーダンスが大幅に低減になり、高容量電池の充放電の要求に満足することができ、且つ小容量電池に適用しても、充放電効率はもっと高くなるリチウム二次電池の極巻き導電構造を提供する。
【課題を解決するための手段】
【００１１】
上記目的を達成するためになされた本願の発明は、電池缶内に中心棒が一つ設けてあり、前記中心棒の両端には二つのリードアウト端子がそれぞれ接続してあり、前記中心棒の周面には極巻きが巻付けてあり、前記極巻き端部と前記リードアウト端子とは一つの括り部材で電気的に連接し、上記電池部材と前記電池缶は二つの組付ナットで固定されるリチウム二次電池の極巻き導電構造において、前記極巻きは、一つのプラス極層と、一つのマイナス極層と、少なくとも一つの隔離層とから構成され、前記プラス極層と前記マイナス極層との表面にはプラス極材料とマイナス極材料とがそれぞれ塗布してあり、前記隔離層は前記プラス極層と前記マイナス極層との間に設置され、前記プラス極層の一端にはプラス極材料が塗布されないプラス極接続ゾーンが設けてあり、且つ前記マイナス極層の前記プラス極接続ゾーンの反対側にある他端にはマイナス極材料が塗布されないマイナス極接続ゾーンが設けてあり、プラス極層と隔離層とマイナス極層とを順序に重ねて巻かせ、前記プラス極接続ゾーンと前記マイナス極接続ゾーンとを二つの端部からそれぞれ突出するようにし、前記各層が前記中心棒を巻付けて極巻きを形成した後、前記極巻きの両端は前記プラス極接続ゾーンと前記マイナス極接続ゾーンとからそれぞれ突出し、前記リードアウト端子は、導電性を持つ構成であり、連結端である一端は前記中心棒の連接部と結合し、前記リードアウト端子の他端が出力端に成形され、前記リードアウト端子は、前記連結端と前記出力端との間に位置し、一つの凸縁と、一つの集りゾーンとが成形してあり、前記集りゾーンは、前記極巻きのプラス極接続ゾーン、又はマイナス極接続ゾーンに対応する箇所に位置し、なお、前記凸縁が前記電池缶の端部蓋に当接し、前記括り部材は、少なくとも一つのねじ軸と二つの押圧片とを有し、前記押圧片には貫通孔が一つ開設してあり、前記押圧片は、前記プラス極接続ゾーンとマイナス極接続ゾーンとの外部の対応箇所にそれぞれ位置し、前記ねじ軸は、一つの押圧片の貫通孔と、集りゾーンの貫通孔と、他の押圧片の貫通孔とを順序に挿通して、前記プラス極接続ゾーンと前記マイナス極接続ゾーンと前記集りゾーンとを緊密に電気的に接続するために、その両端がナットで締付けられることを特徴とするリチウム二次電池の極巻き導電構造であることを要旨としている。
【００１２】
本願の発明では、前記括り部材の押圧片の一端面は円柱形状の集りゾーンに合う円弧凹面に成形され、且つ前記端面は前記集りゾーンと緊密に接触することを特徴とする請求項１に記載のリチウム二次電池の極巻き導電構造であることを要旨としている。
【００１３】
本願の発明では、前記括り部材の押圧片の一端面には、ハイ部位とロー部位とを有する段階構造が形成され、前記ロー部位が多数層のプラス極接続ゾーン、又はマイナス極接続ゾーンに圧合されたことを特徴とする請求項１に記載のリチウム二次電池の極巻き導電構造であることを要旨としている。
【００１４】
本願の発明では、電池缶内に中心棒が一つ設けてあり、前記中心棒の両端には二つのリードアウト端子がそれぞれ接続してあり、前記中心棒の周面には極巻きが巻付けてあり、前記極巻き端部と前記リードアウト端子とは一つの括り部材で電気的に連接し、上記電池部材と前記電池缶は二つの組付ナットで固定されるリチウム二次電池の極巻き導電構造において、前記極巻きは、一つのプラス極層と、一つのマイナス極層と、少なくとも一つの隔離層とから構成され、前記プラス極層と前記マイナス極層との表面にはプラス極材料とマイナス極材料とがそれぞれ塗布してあり、前記隔離層は前記プラス極層と前記マイナス極層との間に設置され、前記プラス極層の一端にはプラス極材料が塗布されないプラス極接続ゾーンが設けてあり、且つ前記マイナス極層の前記プラス極接続ゾーンの反対側にある他端にはマイナス極材料が塗布されないマイナス極接続ゾーンが設けてあり、プラス極層と隔離層とマイナス極層とを順序に重ねて巻かせ、前記プラス極接続ゾーンと前記マイナス極接続ゾーンとを二つの端部からそれぞれ突出するようにし、前記各層が前記中心棒を巻付けて極巻きを形成した後、前記極巻きの両端は前記プラス極接続ゾーンと前記マイナス極接続ゾーンとからそれぞれ突出し、前記リードアウト端子は、導電性を持つ構成であり、連結端である一端は前記中心棒の連接部と結合し、前記リードアウト端子の他端が出力端に成形され、前記リードアウト端子は、前記連結端と前記出力端との間に位置し、一つの凸縁と、一つの集りゾーンとが成形してあり、前記集りゾーンは、前記極巻きのプラス極接続ゾーン、又はマイナス極接続ゾーンに対応する箇所に位置し、なお、前記凸縁が前記電池缶の端部蓋に当接し、前記括り部材は、一つのねじ軸と一つの押圧片とを有し、前記押圧片には貫通孔が一つ開設してあり、前記押圧片は、前記プラス極接続ゾーン、又はマイナス極接続ゾーンの外部の一側に位置し、前記ねじ軸は、押圧片の貫通孔を挿通して集りゾーンのねじ穴にねじ込むと、前記押圧片は前記プラス極接続ゾーン、又は前記マイナス極接続ゾーンの一側に緊密に圧合し、これにより、前記プラス極接続ゾーンと前記マイナス極接続ゾーンと前記集りゾーンとは緊密に電気的に接続するようになることを特徴とするリチウム二次電池の極巻き導電構造であることを要旨としている。
【発明の効果】
【００１５】
本発明のリチウム二次電池の極巻き導電構造によれば、極巻きと電池端子とは、溶接作業を実施しなくても電気的に連接することができ、その通電断面積が大きくなるので、電池の内部のインピーダンスが大幅に低減になり、高容量電池の充放電の要求に満足することができ、且つ小容量電池に適用しても、充放電効率はもっと高くなる効果がある。
【発明を実施するための最良の形態】
【００１６】
以下、添付図面を参照して本発明の好適な実施の形態を詳細に説明する。
【００１７】
まず、図４乃至図７を参照する。本発明のリチウム二次電池の極巻き導電構造は、電池缶２０内に中心棒３０が一つ設けてあり、前記中心棒３０の両端には二つのリードアウト端子５０がそれぞれ接続してあり、前記中心棒３０の周面には極巻き４０が巻付けてあり、前記極巻き４０の端部と前記リードアウト端子５０とは一つの括り部材６０で電気的に連接し、上記電池部材と前記電池缶２０は二つの組付ナット７０で固定される。
【００１８】
前記電池缶２０は、両端には端部開口２０１がそれぞれ一つ開設してあり、その内部には電池部材を収容することができ、前記端部開口２０１が端部蓋２１で密封可能であり、前記端部蓋２１の上では電池部材の部品を挿通可能の開口２１１が開設してある。
【００１９】
前記中心棒３０は、絶縁部材であり、前記電池缶２０の内部に組み付けられ、その両端がそれぞれ一つの連接部３１に成形され、前記連接部３１の構成は挿入溝３１１にしてもいい。
【００２０】
前記極巻き４０は、一つのプラス極層４１と、一つのマイナス極層４２と、少なくとも一つの隔離層４３とから構成され、前記プラス極層４１と前記マイナス極層４２との表面にはプラス極材料４１１とマイナス極材料４２１とがそれぞれ塗布してあり、前記隔離層４３は前記プラス極層４１と前記マイナス極層４２との間に設置され、前記プラス極層４１の一端にはプラス極材料４１１が塗布されないプラス極接続ゾーン４１２が設けてあり、且つ前記マイナス極層４２の前記プラス極接続ゾーン４１２の反対側にある他端にはマイナス極材料４２１が塗布されないマイナス極接続ゾーン４２２が設けてあり、プラス極層４１と隔離層４３とマイナス極層４２とを順序に重ねて巻かせ、前記プラス極接続ゾーン４１２と前記マイナス極接続ゾーン４２２とを二つの端部からそれぞれ突出するようにし、前記各層が前記中心棒３０を巻付けて極巻き４０を形成した後、前記極巻き４０の両端は前記プラス極接続ゾーン４１２と前記マイナス極接続ゾーン４２２とからそれぞれ突出する。
【００２１】
前記リードアウト端子５０は、導電性を持つ構成であり、連結端５１である一端は、挿入ロッド５１１の構成であり、前記中心棒３０の連接部３１と結合し、前記リードアウト端子５０の他端が出力端５２に成形され、前記リードアウト端子５０は、前記連結端５１と前記出力端５２との間に位置し、一つの凸縁５３と、一つの集りゾーン５４とが成形してあり、前記集りゾーン５４は、円柱形状にしてもよく、その上では貫通孔５４１が一つ開設してあり、且つ前記集りゾーン５４は、前記極巻き４０のプラス極接続ゾーン４１２、又はマイナス極接続ゾーン４２２に対応する箇所に位置し、なお、前記凸縁５３が前記電池缶２０の端部蓋２１に当接する。
【００２２】
前記括り部材６０は、一つのねじ軸６１と二つの押圧片６２，６２ａとを有し、前記押圧片６２，６２ａの一端面には貫通孔６２１が一つ開設してあり、前記押圧片６２，６２ａは、前記プラス極接続ゾーン４１２とマイナス極接続ゾーン４２２との外部の対応箇所にそれぞれ位置し、前記ねじ軸６１は、押圧片６２の貫通孔６２１と、集りゾーン５４の貫通孔５４１と、押圧片６２ａの貫通孔６２１とを順序に挿通して、前記プラス極接続ゾーン４１２と前記マイナス極接続ゾーン４２２と前記集りゾーン５４とを緊密に電気的に接続するために、その両端がナットで締付けられる。
【００２３】
前記組付ナット７０は、前記括り部材６０により極巻き４０と中心棒３０とリードアウト端子５０とを組付けた後に、前記リードアウト端子５０の出力端５２が前記端部蓋２１に開設された開口２１１を挿通し、且つ前記凸縁５３が前記電池缶２０の端部蓋２１の裏端面に当接し、そうすると、前記出力端５２に前記組付ナット７０をねじ込むことができ、ねじ込まれた前記組付ナット７０により、前記各電池部材と電池缶とは安定に結合される。
【００２４】
このように、本発明のリチウム二次電池の極巻き導電構造およびその配置が説明された。且つ本発明の極巻きは大面積でリードアウト端子と直接に電気的に連接することができ、そうすると、電池は大電流で充放電することができる。次に、その操作状態を詳細に説明する。
【００２５】
図４乃至図７に示すように、本発明は、大電流で充放電することが必要である高容量電池の要求に満足するために、極巻き４０とリードアウト端子５０とが特殊な構造に設計され、すなわち、前記極巻き４０の各プラス極層４１とマイナス極層４２との一端には、プラス極材料４１１とマイナス極材料４２１とがそれぞれ塗布されない、プラス極接続ゾーン４１２とマイナス極接続ゾーン４２２とが一体で大面積に設けてあり、また、前記リードアウト端子５０の中段には集りゾーン５４が大面積に成形され、前記集りゾーン５４は前記プラス極接続ゾーン４１２、又は前記マイナス極接続ゾーン４２２に対応する箇所に位置し、前記プラス極接続ゾーン４１２と前記マイナス極接続ゾーン４２２との外面に一つの括り部材６０を挟むことにより、前記括り部材６０の二つの押圧片６２，６２ａで、前記プラス極接続ゾーン４１２と前記マイナス極接続ゾーン４２２とが緊迫されしっかりと接触するようになり、そうすると、前記極巻き４０が前記プラス極接続ゾーン４１２と前記マイナス極接続ゾーン４２２との各層と緊密に接触し、一方、もっとも裏層の前記プラス極接続ゾーン４１２と前記マイナス極接続ゾーン４２２とは前記集りゾーン５４と緊密に電気的に連接することができる。
【００２６】
次に、本発明の構成により電池の内部のインピーダンスを低減できる原因を説明する。
【００２７】
（イ）プラス極接続ゾーンとマイナス極接続ゾーンとは極巻きと一体になるので、前記プラス極接続ゾーンとマイナス極接続ゾーンとは無数個の導電柄を持つと同様な効果を有し、だから、大電流は順調に流通することができ、電池の内部のインピーダンスは低減になる。
【００２８】
（ロ）プラス極接続ゾーンとマイナス極接続ゾーンと集りゾーンとは大面積で電気的に連結するので、大電流は順調に流通することができ、電池の内部のインピーダンスは低減になる。
【００２９】
（ハ）括り部材により、プラス極接続ゾーンとマイナス極接続ゾーンとの各層が圧迫されて緊密に接触し、だから、各層の電気的な連結は良好になり、電池の内部のインピーダンスは低減になる。
【００３０】
特に、本発明では、極巻き４０の一端のプラス極接続ゾーン４１２、又はマイナス極接続ゾーン４２２はリードアウト端子５０の集りゾーン５４と直接に電気的に連結し、従来のような導電柄の構造は全く採用しないので、電池の製造プロセスにおいて、導電柄とリードアウト端子５０との溶接作業を実施することは必要なくなり、加工工数が低減になり、設備投資を低減することもできる。
【００３１】
本発明の構成を高容量電池に適用する場合には、充放電しているときに、極巻きに大電流が発生し、この大電流は大面積のプラス極接続ゾーンとマイナス極接続ゾーンと集りゾーンとにより伝導することができるので、内部のインピーダンスが低減になり、且つ充放電の過程中に前記極巻きの温度も大幅に上昇しなくなり、だから、電池の使用安定性および使用寿命は大幅に向上になる。
【００３２】
特に、電池缶２０に各電池部材を組付けた後に電池（特に、電池缶２０とリードアウト端子５０との間）を気密するために、端部蓋２１の裏端面と凸縁５３との間に気密パッキン８０１を一つ設けて、且つ組付ナット７０と、端部蓋２１の外端面との間に気密パッキン８０２を一つ設けてもよく、そうすると、組付ナット７０の緊迫により、前記凸縁５３と、前記端部蓋２１の開口２１１との間の気密状態は良好になる。
【００３３】
また、図５乃至図７を参照する。当該括り部材６０の押圧片６２の一端面は円柱形状の集りゾーン５４に合う円弧凹面に成形してもよく、そうすると、前記端面は前記集りゾーン５４と緊密に接触することができ、また、前記括り部材６０の押圧片の一端面には、ハイ部位６２２とロー部位６２３とを有する段階構造が形成され、これにより、前記ロー部位６２３が多数層のプラス極接続ゾーン４１２、又はマイナス極接続ゾーン４２２に圧合された後に、前記極巻き４０の厚さにより前記極巻き４０の裏面の高さが前記ハイ部位６２２の裏面と一致になり、そうすると、段差による押圧片６２の貼り付け不良を回避することができる。
【００３４】
また、本発明の構成を小容量電池に適用する場合には、小容量電池の極巻き４０の層数がより少なく、且つ電池の内部空間がより狭いので、図８と図９に示すように、本発明に係る括り部材６０は、一つのねじ軸６１ａと一つの押圧片６２ｂとを有してもよく、すなわち、前記押圧片６２ｂは、前記プラス極接続ゾーン４１２、又はマイナス極接続ゾーン４２２の外部の一側に位置し、前記ねじ軸６１ａは、押圧片６２ｂの貫通孔を挿通して集りゾーン５４のねじ穴５４２にねじ込むと、前記押圧片６２ｂは前記プラス極接続ゾーン４１２、又は前記マイナス極接続ゾーン４２２の一側に緊密に圧合し、これにより、前記プラス極接続ゾーン４１２と前記マイナス極接続ゾーン４２２と前記集りゾーン５４とは緊密に電気的に接続するようになる。
【図面の簡単な説明】
【００３５】
【図１】米国特許第5849431号に提案された従来の極巻き構成を示す斜視図である。
【図２】米国特許第5849431号に提案された導電柄と導電連接具との溶接構造を示す概略図である。
【図３】米国特許第6447946号に提案された従来のリチウム電池の構成を示す断面図である。
【図４】本発明に係る極巻き構成を示す斜視概略図である。
【図５】本発明に係る極巻きに括り部材を組付ける前の状態を示す斜視図である。
【図６】本発明に係る極巻きに括り部材を組付けた状態を示す拡大斜視図である。
【図７】本発明の構成を電池缶内に設置された状態を示す断面図である。
【図８】本発明の極巻きに単一の押圧片を合せた状態を示す分解斜視図である。
【図９】本発明の極巻きに単一の押圧片を合せて電池缶内に設置された状態を示す概略図である。
【符号の説明】
【００３６】
１０，１０ａ        極巻き
１１      プラス極層
１１１，１３１，１１１ａ，１３１ａ      導電柄
１２      隔離層
１３      マイナス極層
１４      中心棒
１５      導電連接具
１６      電池端子
１６１    サイド枠
２０      電池缶
２０１    端部開口
２１      端部蓋
２１１    開口
３０      中心棒
３１      連接部
３１１    挿入溝
４０      極巻き
４１      プラス極層
４１１    プラス極材料
４１２    プラス極接続ゾーン
４２      マイナス極層
４２１    マイナス極材料
４２２    マイナス極接続ゾーン
４３      隔離層
５０      リードアウト端子
５１      連結端
５１１    挿入ロッド
５２      出力端
５３      凸縁
５４      集りゾーン
５４１    貫通孔
５４２    ねじ穴
６０      括り部材
６１，６１ａ        ねじ軸
６２，６２ａ，６２ｂ    押圧片
６２１    貫通孔
６２２    ハイ部位
６２３    ロー部位
６３      ナット
７０      組付ナット
８０１，８０２    気密パッキン
【図１】
2008016411.tif 000003
【図２】
2008016411.tif 000004
【図３】
2008016411.tif 000005
【図４】
2008016411.tif 000006
【図５】
2008016411.tif 000007
【図６】
2008016411.tif 000008
【図７】
2008016411.tif 000009
【図８】
2008016411.tif 000010
【図９】
2008016411.tif 000011